(57)【要約】本発明は、補助レンズ着脱型眼鏡の改良に関し、本体眼鏡１０の主レンズ１４の前面部に、磁性透明膜１８が塗布され、本体眼鏡１０に着脱される補助レンズ２０の背面部に磁性透明膜２２が塗布されることにより、補助レンズ２０の着脱がさらに簡便で、着用眼鏡が軽くて便利であり、補助レンズの着用時、着用感もよいものである。【選択図】図１
2016505172.tif 000002
【特許請求の範囲】
【請求項１】
補助レンズ着脱型眼鏡において、
本体眼鏡１０の主レンズ１４の前面部に磁性透明膜１８が塗布され、主レンズ１４に着脱される補助レンズ２０の背面部に磁性透明膜２２が塗布されることを特徴とする補助レンズ着脱型眼鏡。
【請求項２】
主レンズ１４と補助レンズ２０の磁性透明膜１８、２２は、コバルト添加二酸化チタン膜であり、各レンズ１４、２０の外郭部を取り囲んで形成されることを特徴とする請求項１に記載の補助レンズ着脱型眼鏡。
【請求項３】
主レンズ１４補助レンズ２０には、補助レンズの付着時、位置合わせが容易なように、位置合わせ用標識３０が形成されることを特徴とする請求項１または２に記載の補助レンズ着脱型眼鏡。
【発明の詳細な説明】
【技術分野】
【０００１】
本発明は、眼鏡に関し、特に、眼鏡に付着される補助レンズを軽くてかつ便利に着脱可能に改良された補助レンズ着脱型眼鏡に関する。
【背景技術】
【０００２】
最近、眼鏡は、多くの人に様々な目的で着用されている。つまり、屈折異常、眼位異常、調節機能、老眼補正のような視力補正用として着用されており、また、有害光線から目を保護する視力保護用としても着用されている。また、弱視の視機能訓練のための目的等として眼鏡を着用したり、美容やファッションの目的と、射撃、登山、及びレジャースポーツ用途としても多く着用している。
【０００３】
このように様々な目的で着用されている眼鏡は、先端素材の材質が登場するとともに、次第に軽量化し、個性化しており、装飾美も加えられているが、視力補正用として眼鏡を着用する人において老眼が生じると、直面した状況や見るべき対象により、それに合う補助眼鏡を別途に着用し、またはさらに付着しなければならないことがある。また、視力補正用眼鏡の着用者が、車両運転を行うなどの状況になると、視力保護のために、視力補正用眼鏡と視力保護用眼鏡を一緒に着用しなければならないことも生じてしまう。
【０００４】
このような場合に備えて、視力補正用眼鏡に補助眼鏡を加えて着用するという、従来技術や先行特許文献が多く提案されている。
【０００５】
先行特許文献の一例としては、特許文献１（眼鏡レンズに直接磁石部を構成する補助眼鏡）、特許文献２（補助レンズ付着用縁なし眼鏡）等がある。
【０００６】
上記した先行特許文献を含めた従来技術には、補助レンズの付着を用いた技術が多く開示されているが、さらに簡便で、軽くてかつ便利に補助眼鏡を着用し、外すことのできる方式及び構造が依然として望まれている。
【先行技術文献】
【特許文献】
【０００７】
【特許文献１】韓国登録実用新案第２０−０４０８８１３号公報
【特許文献２】韓国登録実用新案第２０−０２５０３４０号公報
【発明の概要】
【発明が解決しようとする課題】
【０００８】
本発明は、上記問題点に鑑みなされたものであり、その目的は、補助レンズの着脱が可能な眼鏡を構成するにあたって、さらに簡便で、軽くてかつ便利に補助レンズを着用し、外すことのできるように改善された眼鏡を提供することにある。
【課題を解決するための手段】
【０００９】
上述した目的を達成するために、本発明は、補助レンズ着脱型眼鏡において、本体眼鏡１０の主レンズ１４の前面部に磁性透明膜１８が塗布され、主レンズ１４に着脱される補助レンズ２０の背面部に磁性透明膜２２が塗布されることを特徴とする。
【００１０】
このとき、主レンズ１４と補助レンズ２０の磁性透明膜１８、２２は、各レンズ１４、２０の外郭部を取り囲んで形成されることを特徴とする。
【００１１】
また、前記補助レンズ着脱型眼鏡を構成するにあたって、主レンズ１４と補助レンズ２０には、補助レンズの付着時、位置合わせが容易なように、位置合わせ用標識３０が形成されることを特徴とする。
【発明の効果】
【００１２】
本発明によれば、補助レンズ着脱型眼鏡を構成するにあたって、本体眼鏡の主レンズと、その主レンズに付着される補助レンズに磁性透明膜を塗布して構成することにより、補助レンズの着脱がさらに簡便で、軽くてかつ便利であり、補助レンズを付着するとき、着用感もよいという長所がある。
【図面の簡単な説明】
【００１３】
【図１】本発明の実施例による補助レンズ着脱型眼鏡の斜視構成図である。
【図２】本発明による本体眼鏡の主レンズに補助レンズが付着された状態の断面構成図である。
【図３】本発明による本体眼鏡の主レンズと補助レンズの磁力付着状態を説明するための分離斜視構成図である。
【図４】多様な形態の補助レンズを説明するための斜視図である。
【発明を実施するための形態】
【００１４】
以下、添付した図面に基づき、本発明の好適な実施例について詳述する。
【００１５】
本発明では、本体眼鏡に、補助眼鏡ではなく、補助レンズが着脱可能に具現される。補助レンズは、縁がなく、レンズのみからなり、軽くて、携帯が極めて便利である。
【００１６】
図１は、本発明の実施例による補助レンズ着脱型眼鏡の斜視構成図であり、図２は、本発明による本体眼鏡１０の主レンズ１４に補助レンズ２０が付着された状態の断面構成図である。
【００１７】
本発明では、補助レンズ着脱型眼鏡を構成するにあたって、本体眼鏡１０の主レンズ１４と、その主レンズ１４に付着される補助レンズ２０とに、磁性透明膜１８、２２をそれぞれ塗工したことを要旨的な特長とする。
【００１８】
本体眼鏡１０の主レンズ１４を、補助レンズ２０とさらに容易に付着させるためには、主レンズ１４が本体眼鏡１０の眼鏡の縁１２の厚さと略同じであり、または、主レンズ１４の前面よりもさらに突出する厚さを有することが好ましいが、そうでなくても、本発明による眼鏡の具現には問題とならない。
【００１９】
例えば、図１に示すように、本体眼鏡１０は、アルミニウム合金のような高強度軽量の合金材質を用いて、眼鏡の縁１２の厚さを薄く形成することができ、必要に応じて、縁なし眼鏡を用い、または、図１に示す半縁なし眼鏡を採用してもよい。このような本体眼鏡１０は、軽くて、補助レンズ２０の着脱を便利にする。
【００２０】
本体眼鏡１０の主レンズ１４が、薄厚の眼鏡の縁１２に挟まれるように、図３に示すように、主レンズ１４の周りに結合溝線１５を形成する。したがって、主レンズ１４の結合溝線１５に、薄厚を有する眼鏡の縁１２の内向き凸線が挟まれると、図１及び図２に示すように、本体眼鏡１０の眼鏡の縁１２よりもさらに前方に突出した主レンズ１４を構成することができる。
【００２１】
特に、本発明では、本体眼鏡１０の主レンズ１４に補助レンズ２０が磁力で付着されるように、主レンズ１４と補助レンズ２０に磁性透明膜１８、２２をそれぞれ塗工する。
【００２２】
前記磁性透明膜１８、２２は、二酸化チタン（ＴｉＯ２）に、磁石としての性質を有するコバルト原子を数パーセントだけ加えた、コバルト添加二酸化チタン（Ｃｏ：ＴｉＯ２）膜であり、室温と高温でも、磁石の性質を失わず、可視光に対して殆ど透明な性質を有する。コバルト添加二酸化チタン（Ｃｏ：ＴｉＯ２）膜からなる磁性透明膜１８、２２は、常温で強磁性体である。
【００２３】
前記磁性透明膜１８、２２は、主レンズ１４及び補助レンズ２０の目の焦点部位を除いた周辺部に形成することが好ましく、主レンズ１４の場合は、レンズの前面部に塗工され、補助レンズ２０の場合は、レンズ背面部に塗工される。
【００２４】
主レンズ１４の前面部と補助レンズ２０の背面部に塗工される磁性透明膜１８、２２は、各レンズ１４、２０の外郭部を取り囲んで形成されることがよく、このとき、消費者が選んだ眼鏡の縁に合わせてレンズ１４、２０を加工しても、その外郭部の磁性透明膜１８、２２が十分に残るように形成範囲が定められなければないらい。
【００２５】
背面に磁性透明膜２２が形成された補助レンズ２０は、主レンズ１４の大きさと同一に形成してもよいが、図４の（ａ）と（ｂ）に示すように、主レンズ１４の上半部に付着されるレンズのサイズや、その下半部に付着されるレンズのサイズにも形成可能であることが理解されるべきである。
【００２６】
また、本発明では、主レンズ１４と補助レンズ２０を具現するにあたって、主レンズ１４と補助レンズ２０には、補助レンズの付着時、位置合わせが容易なように、位置合わせ用標識３０が形成される。
【００２７】
位置合わせ用標識３０は、主レンズ１４と補助レンズ２０の外郭部に半透明の点状に表示されてもよい。すると、使用者は、本体眼鏡１０の主レンズ１４に補助レンズ２０を磁力で付着するとき、焦点を容易に合わせることができる。
【００２８】
補助レンズ２０の場合、老眼補正のための多焦点レンズが採用されてもよく、有害光線から目を保護する視力保護用レンズが採用されてもよいなど、多様に採用され得る。
【００２９】
未説明符号の１３はワイヤ、１６は眼鏡のテンプルである。
【００３０】
また、本発明の一使用例として、図４の（ａ）と（ｂ）に示した上・下半部を有する二つの補助レンズ２０を、必要に応じて、同時に付着してもよく、図３のような補助レンズ２０の上にまた他の機能の補助レンズをさらに付着してもよいことを理解しなければならない。このように補助レンズを二重に付着する場合は、主レンズ１４に磁力で付着された補助レンズ２０の前面部にも前記磁性透明膜が塗工されなければならない。
【００３１】
上述した本発明の説明では、具体的な実施例について説明しているが、本発明の範囲を逸脱しない限り、様々な変形が実施可能である。したがって、本発明の範囲は、説明された実施例により定められるのではなく、特許請求の範囲及びその特許請求の範囲と均等なものにより定められなければならない。
【符号の説明】
【００３２】
１０    本体眼鏡
１２    眼鏡の縁
１３    ワイヤ
１４    主レンズ
１５    結合溝線
１６    眼鏡のテンプル
１８、２２    磁性透明膜
２０    補助レンズ
３０    位置合わせ用標識
【図１】
2016505172.tif 000003
【図２】
2016505172.tif 000004
【図３】
2016505172.tif 000005
【図４（ａ）】
2016505172.tif 000006
【図４（ｂ）】
2016505172.tif 000007
【国際調査報告】
2016505172.tif 000008
2016505172.tif 000009
2016505172.tif 000010
2016505172.tif 000011